(57)【特許請求の範囲】
【請求項１】
ポケットを備えるスポーツ衣料であって、前記ポケットが、前記ポケットの底部から収容するための開口部を備え、前記ポケットの第１の縁は、前記スポーツ衣料の第１のカットラインに少なくとも部分的に重なって配置され、
前記ポケットの第２の縁が、前記スポーツ衣料の第２のカットラインに少なくとも部分的に重なって配置され
前記ポケットの開口部が、前記第１のカットラインから前記第２のカットラインへ延在する、スポーツ衣料。
【請求項２】
ポケットを備えるスポーツ衣料であって、前記ポケットが、前記ポケットの底部から収容するための開口部を備え、前記ポケットの第１の縁は、前記スポーツ衣料の第１のカットラインに少なくとも部分的に重なって配置され、
前記ポケットの第２の縁が、前記スポーツ衣料の第２のカットラインに少なくとも部分的に重なって配置され、
前記ポケットが、前記第１のカットラインから前記第２のカットラインへ延在する上縁を備える、スポーツ衣料。
【請求項３】
前記ポケットの開口部が、前記第１のカットラインから前記第２のカットラインへ延在する、請求項２に記載のスポーツ衣料。
【請求項４】
前記第１の縁および／または前記第２の縁が、前記第１のカットラインおよび／または前記第２のカットラインに沿った縫い目に組み込まれる、請求項１から３のいずれかに記載のスポーツ衣料。
【請求項５】
前記ポケットが、前記ポケットの頂部から収容するためのさらなる開口部を備える、請求項１から４のいずれかに記載のスポーツ衣料。
【請求項６】
(請求項１１)
前記ポケットの底部から収容するための開口部および／または前記ポケットの頂部から収容するための開口部が、弾性バンドを備えない、請求項５に記載のスポーツ衣料。
【請求項７】
前記ポケットが、前記スポーツ衣料の着用者の脚側面を覆って位置するように配置される、請求項１から６のいずれかに記載のスポーツ衣料。
【請求項８】
前記ポケットが、前記スポーツ衣料の着用者の股関節屈筋を少なくとも部分的に覆って位置するように配置される、請求項１から７のいずれかに記載のスポーツ衣料。
【請求項９】
前記ポケットが、前記スポーツ衣料の着用者の大殿筋を少なくとも部分的に覆って位置するように配置される、請求項１から８のいずれかに記載のスポーツ衣料。
【請求項１０】
前記ポケットが、前記スポーツ衣料の着用者の外側広筋を少なくとも部分的に覆って位置するように配置される、請求項１から９のいずれかに記載のスポーツ衣料。
【請求項１１】
前記ポケットが、前記ポケットの下の前記スポーツ衣料の一部分の材料より弾性が高い材料を含む、請求項１から１０のいずれかに記載のスポーツ衣料。
【請求項１２】
前記スポーツ衣料が、スカートと一体化されたショートパンツまたはレギンスを含み、前記ポケットが、前記ショートパンツまたは前記レギンス上、かつ、前記スカートの下に配置される、請求項１から１１のいずれかに記載のスポーツ衣料。
【請求項１３】
前記ポケットが、少なくとも１つのテニスボールをしっかりと保つように適合される、請求項１から１２のいずれかに記載のスポーツ衣料。
【請求項１４】
前記スポーツ衣料が、テニス衣料である、請求項１から１３のいずれかに記載のスポーツ衣料。
【発明の詳細な説明】
【技術分野】
【０００１】
本発明は、スポーツ衣料に関し、詳細には、ポケットを備えるスポーツ衣料に関する。
【背景技術】
【０００２】
スポーツ衣料用ポケットは、娯楽用途およびプロフェッショナル用途の両方にとって必要不可欠である。例えばテニスなどの一部のスポーツでは、スポーツ衣料、特に下半身用衣料のポケットの使用は、実際のプレーにとって必要不可欠である。例えば、プロの試合では、プレーヤーの２度のサーブ間の時間超過には、タイムペナルティーが課せられる。また、娯楽目的のみでテニスをプレーする場合、１つまたは複数の追加のテニスボールを保持することは、利便性の面でも、試合を中断させないためにも重要である。
【０００３】
この目的のため、周知のスポーツ衣料は、ボール、あるいは、試合またはスポーツ活動中に必要とされ得る他のアイテムを保持するために、１つまたは複数のポケットを含むことができる。
【０００４】
しかしながら、ポケットを有する周知のスポーツ衣料には、多くの問題が生じ得る。例えば、ポケットの場所、および、例えば、テニスボールなどの中身は、動く際に選手の妨害または邪魔となる恐れがある。例えば、テニスの試合中などの競技的な環境では、ポケットの中身がしっかりと固定され、かつ、ポケットへのアクセスが迅速で効率的であることが重要である。このことは、例えば、上側の衣料またはスカートの下の、ショートパンツ（a pair of shorts）／レギンス（a pair of leggings）など、別の衣料の下に配置されるポケットにおいて特に重要である。
【発明の概要】
【発明が解決しようとする課題】
【０００５】
したがって、本発明の根底にある技術的課題は、１つまたは複数のアイテムを確実に保管することができ、一方で、容易にアクセスすることもでき、スポーツ活動中にわたり、スポーツ衣料の着用者にとって邪魔にならずに快適である、スポーツ衣料上／内のポケットをいかに提供するかということだと考えられ得る。
【課題を解決するための手段】
【０００６】
本発明の根底にある技術的課題は、独立請求項の主題により、少なくとも部分的に解決される。様々な実施形態が、従属請求項に記載される。１つの実施形態では、本発明は、ポケットを備えるスポーツ衣料を提供し、ポケットは、ポケットの底部から収容するための（for bottom loading）開口部を備え、ポケットの第１の縁は、スポーツ衣料の第１のカットラインに少なくとも部分的に重なって配置される。
【０００７】
スポーツ衣料がテニスプレーヤー用の衣料の場合、本発明の実施形態によるポケットは、プレーヤーが、例えば、次のサーブなどの次の使用のために、１つまたは複数のテニスボールを利便性良く携帯し、テニスボールにアクセスすることを可能にし得る。ポケットの第１の縁が、第１のカットラインに少なくとも部分的に重なっていることに伴い、ポケットのデザインは、安定性が改善されたものとなる。また、ポケットの第１の縁を、スポーツ衣料の第１のカットラインに少なくとも部分的に重ねることにより、追加的なカットラインまたは縫い目の総数、および／あるいは、全長が低減され得る。これは、着心地、ロバスト性を改善し、スポーツ衣料の製造の複雑さを低減する。
【０００８】
ある実施形態では、スポーツ衣料は、スポーツ衣料の第２のカットラインに少なくとも部分的な重なって配置される第２の縁を有することができる。この実施形態は、ポケットの第２の縁を、スポーツ衣料の第２のカットラインに少なくとも部分的に重ねることにより、追加的なカットラインまたは縫い目の総数、および／あるいは、全長がさらに低減され得るため有利である。その結果、スポーツ衣料の着心地、および、ロバスト性がさらに改善され得る。加えて、スポーツ衣料のいずれかの場所にポケットを単に取り付けるのに比べ、必要とされるカットラインおよび／または縫い目、ならびに／あるいは、他の種類の連結手段をより少なくすることが可能となるため、スポーツ衣料の製造の複雑さが、さらに低減され得る。
【０００９】
ポケットの開口部は、本質的に、第１のカットラインから第２のカットラインへ延在することができる。また、ポケットは、本質的に、第１のカットラインから第２のカットラインへ延在する上縁を備えることができる。この文脈および本出願を通して、「本質的に」という用語は、衣料およびポケットの配置の典型的な製造公差を言及する。
【００１０】
さらに、第１の縁および／または第２の縁は、第１および／または第２のカットラインに沿った縫い目に組み込まれ得る。ポケットのそのような配置は、スポーツ衣料に施される追加的な縫い目（または、製造に応じて、他の連結手段）の必要性を低減するだけでなく、最小限にするため有利である。その結果、縫い目が少なくなったことに伴い、着心地が改善され、スポーツ衣料の製造も簡易化される。
【００１１】
ポケットは、ポケットの頂部から収容するための（for top loading）さらなる開口部を備えることができる。さらなる開口部は、スポーツ衣料の着用者が、試合の状況の必要性に応じて、ポケットの開口部を柔軟に使用することを可能にすることで、ポケットの使い勝手を改善する。例えば、ポケットは、異なる特性を有し得る（例えば、一方のボールが他方よりも柔らかである）２つのボールを収容可能（loadable）とすることができる。この場合、他方のボールを取り除かなくても、両方のボールに容易にアクセスすることができる。
【００１２】
ポケットは、スポーツ衣料の着用者の脚側面（side leg）を覆って位置するように配置され得る。１つの実施形態では、ポケットは、スポーツ衣料の着用者の股関節屈筋を少なくとも部分的に覆って位置するように配置され得る。具体的には、ポケットは、スポーツ衣料の着用者の大殿筋を少なくとも部分的に覆って位置するように配置され得る。１つの実施形態では、ポケットは、外側広筋を少なくとも部分的に覆って位置するように配置され得る。例として、ポケット、具体的には、第１および／または第２の縁は、着用者の股関節屈筋、または、大殿筋、または、外側広筋をたどる。記載された実施形態では、記載されたスポーツ衣料内における位置に伴い、ポケットおよびその底部開口部（および、もしあれば、その頂部開口部）は、容易にアクセスすることができる。
【００１３】
１つの実施形態では、ポケットの底部開口部および／または頂部開口部は、弾性バンドを備えない。ポケットの縁が、１つまたは複数のカットラインに少なくとも部分的に重なる場合、スポーツ衣料の材料構造に固有の弾性は、ポケット内のアイテムをしっかりと保つのに十分である。この実施形態は、弾性材料（例えば、弾性バンド）が、パチッと閉じ（snap）、遮断し（break）、そして、使用時は、ポケットが最終的には、固定が弱くなる（less secure）ように緩むことができるため有利である。しかしながら、他の実施形態では、特定の要件に応じて、ポケットの頂部開口部および／または底部開口部に、１つまたは複数の弾性バンドが配置されてもよい。
【００１４】
ポケットは、ポケットの下のスポーツ衣料の一部分の材料より弾性が高い材料を含むことができる。代替方法として、ポケットの材料は、弾性が低くてもよい。弾性の異なる材料を、ポケットおよびスポーツ衣料に有することで、ポケットを使用する分野に応じて、ポケットの特性をさらに改善することができる。
【００１５】
ポケットの中身の可視性を改善するために、ポケットの材料は、少なくとも部分的にメッシュ構造体またはネット構造体から作製され得る。
【００１６】
別の実施形態によれば、スポーツ衣料は、スカートと一体化されたショートパンツまたはレギンスを含み、ポケットは、ショートパンツまたはレギンス上、かつ、スカートの下に配置される。ポケットは、少なくとも１つのテニスボールをしっかりと保つように適合され得る。さらに、スポーツ衣料は、テニス衣料とすることができる。用途（例えば、スポーツの種類）に応じて、スポーツ衣料は、レギンス、ショートパンツ、スカートを備えるレギンス、または、スカートを備えるショートパンツとして提供され得る。レギンスまたはショートパンツと、スカートとの組み合わせは、スコートと呼ばれる場合もある。他のスポーツでは、スポーツ衣料は、本発明によるポケットを有するジャージとしても提供され得る。スポーツ衣料が（例えば、サイクリングまたはランニング用の）ジャージとして提供される場合、ショートパンツ、レギンス、または、任意の種類のスコートなど、別の種類のスポーツ衣料を参照して本明細書に記載される全ての実施形態を、ジャージにも適用することができる。唯一の違いは場所であり、すなわち、ジャージ上に配置されるポケットは、必ずしも、股関節屈筋、大殿筋、または、外側広筋のうちの１つに少なくとも部分的に重なる必要はない。
【００１７】
本発明のさらなる実施形態が以下に規定される。
【００１８】
［１］ポケット（５０、１５０）を備えるスポーツ衣料（１０、１１０）であって、ポケット（５０、１５０）が、ポケット（５０、１５０）の底部から収容するための開口部（６０、１６０）を備え、ポケット（５０、１５０）の第１の縁（８０、１８０）は、スポーツ衣料（１０、１１０）の第１のカットライン（３０、１３０）に少なくとも部分的に重なって配置される、スポーツ衣料（１０、１１０）。
【００１９】
［２］ポケット（５０、１５０）の第２の縁（９０、１９０）が、スポーツ衣料（１０、１１０）の第２のカットライン（４０、１４０）に少なくとも部分的に重なって配置される、［１］に記載のスポーツ衣料（１０、１１０）。
【００２０】
［３］ポケット（５０、１５０）の開口部（６０、１６０）が、本質的に、第１のカットライン（３０、１３０）から第２のカットライン（４０、１４０）へ延在する、［２］に記載のスポーツ衣料（１０、１１０）。
【００２１】
［４］ポケット（５０、１５０）が、本質的に、第１のカットライン（３０、１３０）から第２のカットライン（４０、１４０）へ延在する上縁（７０、１７０）を備える、［２］または［３］に記載のスポーツ衣料（１０、１１０）。
【００２２】
［５］第１の縁（８０、１８０）および／または第２の縁（９０、１９０）が、第１のカットライン（３０、１３０）および／または第２のカットライン（４０、１４０）に沿った縫い目に組み込まれる、［１］から［４］のいずれかに記載のスポーツ衣料（１０、１１０）。
【００２３】
［６］ポケット（５０、１５０）が、ポケット（５０、１５０）の頂部から収容するためのさらなる開口部を備える、［１］から［５］のいずれかに記載のスポーツ衣料（１０、１１０）。
【００２４】
［７］ポケット（５０、１５０）が、スポーツ衣料（１０、１１０）の着用者の脚側面を覆って位置するように配置される、［１］から［６］のいずれかに記載のスポーツ衣料（１０、１１０）。
【００２５】
［８］ポケット（５０、１５０）が、スポーツ衣料（１０、１１０）の着用者の股関節屈筋を少なくとも部分的に覆って位置するように配置される、［１］から［７］のいずれかに記載のスポーツ衣料（１０、１１０）。
【００２６】
［９］ポケット（５０、１５０）が、スポーツ衣料（１０、１１０）の着用者の大殿筋を少なくとも部分的に覆って位置するように配置される、［１］から［８］のいずれかに記載のスポーツ衣料（１０、１１０）。
【００２７】
［１０］ポケット（５０、１５０）が、スポーツ衣料（１０、１１０）の着用者の外側広筋を少なくとも部分的に覆って位置するように配置される、［１］から［９］のいずれかに記載のスポーツ衣料（１０、１１０）。
【００２８】
［１１］ポケット（５０、１５０）の底部開口部（６０、１６０）および／または頂部開口部が、弾性バンドを備えない、［１］から［１０］のいずれかに記載のスポーツ衣料（１０、１１０）。
【００２９】
［１２］ポケット（５０、１５０）が、ポケット（５０、１５０）の下のスポーツ衣料（１０、１１０）の一部分の材料より弾性が高い材料を含む、［１］から［１１］のいずれかに記載のスポーツ衣料（１０、１１０）。
【００３０】
［１３］スポーツ衣料（１０、１１０）が、スカートと一体化されたショートパンツ（１１０）またはレギンス（１０）を含み、ポケット（５０、１５０）が、ショートパンツ（１１０）またはレギンス（１０）上、かつ、スカートの下に配置される、［１］から［１２］のいずれかに記載のスポーツ衣料（１０、１１０）。
【００３１】
［１４］ポケット（５０、１５０）が、少なくとも１つのテニスボールをしっかりと保つように適合される、［１］から［１３］のいずれかに記載のスポーツ衣料（１０、１１０）。
【００３２】
［１５］スポーツ衣料（１０、１１０）が、テニス衣料である、［１］から［１４］のいずれかに記載のスポーツ衣料（１０、１１０）。
【００３３】
以下に、添付の図面を参照し、本発明の態様をより詳細に説明する。
【図面の簡単な説明】
【００３４】
【図１】本発明の実施形態によるレギンスの正面図、側面図、および背面図である。
【図２】本発明の別の実施形態によるレギンスの正面図、側面図、および背面図である。
【発明を実施するための形態】
【００３５】
以下、ポケットを備えるスポーツ衣料の本発明の実施形態を、ショートパンツ、レギンス、または、スコートなどの様々な種類の衣料を参照し、より詳細に説明する。しかしながら、本発明は、そのような特定の実施形態に限定されるものではなく、例えば、ジャージなどの他の種類のスポーツ衣料にも同様に適用可能であることを理解されたい。
【００３６】
図１は、本発明の実施形態によるレギンス１０を示す。図１の左の図は、レギンス１０の正面図を示す。レギンス１０は、その上方部に、レギンス１０が着用者のウエストにきちんと適合することを可能にするウエストバンド２０を備える。図１の左の図は、レギンス１０の第１のカットライン３０も示す。本出願において理解されるように、カットラインは、必ずしも縫い目である必要はなく、スポーツ衣料の２つの部位間の、より広義的には、任意の接触ラインまたは面であり、この部位は、適切な連結手段により連結される。カットラインは、適切な連結手段により連結されるために、２つのエッジ部が接触するように配置された、単一の材料片により規定されることも可能である。本出願において理解されるように、適切な連結手段は、例えば、縫製、糊付け、または、溶接などの、当業者に周知の織物を連結する手段である。カットラインに沿った連結は、永久的であっても、そうでなくてもよい。１つの実施形態では、連結は、例えば、ボタン、ジッパー、または、面ファスナーなどの取り外し可能な形態でも提供され得る。
【００３７】
図１の中央の図は、レギンス１０の側面図を示す。第１のカットライン３０に加えて、第２のカットライン４０を確認することができる。示されている実施形態では、両方のカットライン３０、４０は、着用者の膝の場所あたりで合わさり、接点は、参照符号９５により示されている。第１のカットライン３０は、着用者の膝の方向に延在し、反対の方向にも、ウエストバンド２０を通って延在する。第２のカットライン４０を含む、レギンス１０の背面から見た図を提供する、図１の右の図に示されるように、第２のカットライン４０は、着用者の殿部に沿って延在する。図１は、左脚から右脚へ、レギンス１０の背部を経由して延在する単一の第２のカットライン４０を示すが、スポーツ衣料、および、その製造の特定の要件に応じて、任意の他の数または配置の、１つまたは複数の任意のカットラインも考えられる。
【００３８】
また、図１の中央の図は、レギンス１０上にポケット５０を取り付けるための１つの選択肢を図示する。この実施形態から確認することができるように、ポケット５０は、第１のカットライン３０と第２のカットライン４０との間の上方の連結７０を形成する。この実施形態では、ポケット５０の上方の連結７０は、ポケット５０の閉塞部を提供する。上述の取り外し可能な種類（例えば、ボタン、ジッパー、または、面ファスナー）、または、永久的な種類（例えば、縫製、糊付け、溶接）の連結手段も、ポケット５０の、例えば、上方の連結７０の閉塞部として使用され得る。
【００３９】
さらに、ポケット５０は、第１のカットライン３０の一部に完全に重なる第１の縁８０と、第２のカットライン４０の一部に完全に重なる第２の縁９０とを備える。レギンス１０に取り付けられると、第１の縁８０および第２の縁９０は、ポケットの上方の連結７０と共にポケット５０を規定する。ポケット５０の底部６０は開かれており、その結果、任意の適するアイテムが、下から収容され（loaded）得る。適するアイテムは、テニスボールであり得る。加えて、または、代替方法として、ポケット５０は、１つより多くの適するアイテム（例えば、２つのテニスボール）が収容されるように適合されてもよい。
【００４０】
図１に示される実施形態では、ポケット５０は、レギンス１０と同じ材料で作製される。レギンス１０およびポケット５０に同じ材料を使用することで、製造プロセスを簡易化し、概して、ポケット内にアイテムを保持するための十分な弾性を提供する。概して、スポーツ衣料および／またはポケットに使用され得る材料は、例えば、ポリエステル８９％／エラスタン１１％（２２０．００ｇ／ｓｑｍの両面緯編（interlock weft knitted））、または、ポリエステル８２％／エラスタン１８％（２００．００ｇ／ｓｑｍのシングルジャージ緯編（single jersey weft knitted））、ナイロン８０％／スパンデックス２０％（２０８ｇ／ｓｑｍのメッシュ経編（mesh wrap knitted））、または、ポリアミド８６％／エラスタン１４％（２０７ｇ／ｓｑｍのシングルジャージ緯編）、または、ポリエステル８２％／エラスタン１８％のジャカード経編（JACQUARD wrap knitted）、または、ポリエステル９４％／エラスタン６％（１６０．００ｇ／ｓｑｍのシングルジャージ緯編）からなる材料を含む。しかしながら、上記の材料リストおよびそれぞれの弾性は、例示にすぎないということを理解されたい。他のスポーツ衣料は、６％〜２０％の範囲で、弾性材料（例えば、エラスタンまたはスパンデックス）を含むことができる。いくつかの実施形態では、しかしながら、含まれる弾性材料の範囲は、異なる弾性特性を提供するために、スポーツ衣料およびポケットごとに異なり得る。
【００４１】
ポケット５０は、着用者の股関節屈筋にほぼ重なるようにレギンス１０上に配置される。ポケット５０は、レギンス１０の着用者の大殿筋を少なくとも部分的に覆って位置するように配置されてもよい。１つの実施形態では、ポケット５０は、外側広筋を少なくとも部分的に覆って位置するように配置される。これらの位置は、例えば、テニスなどの一部のスポーツにとって有利であり、それは、ポケット５０のこの位置が、テニスのプレー中に着用者の邪魔とならないためである。この目的のため、ポケット５０、ならびに、第１の縁８０および／または第２の縁９０は、着用者の股関節屈筋、または、大殿筋、または、外側広筋をたどることができる。
【００４２】
もちろん、特別な要件に応じて他の位置も考えられる。１つの実施形態では、ポケット５０は、着用者の殿部上部のカットライン４０にも位置することができる。ポケット５０は、レギンスのウエストバンド２０に配置されてもよく、その結果、ポケット５０は、カットラインに少なくとも部分的に重なる（図１に示されるレギンス１０では、ポケット５０は、カットライン４０に重なることができる）。
【００４３】
図２は、本発明の別の実施形態を示す。より詳細には、図２は、ウエストバンド１２０を有するショートパンツ１１０を示す。図２は、ショートパンツ１１０の脚側面上の第１のカットライン１３０および第２のカットライン１４０の配置を図示する。図２のショートパンツ１１０は、ポケット１５０を備え、第１のカットライン１３０と第２のカットライン１４０との間に配置されたポケット１５０の上方の連結１７０は、ポケット１５０の上限を規定する。さらに、ポケット１５０は、第１のカットライン１３０の一部に完全に重なる第１の縁１８０と、第２のカットライン１４０の一部に完全に重なる第２の縁１９０とを備える。ショートパンツ１１０に取り付けられると、第１の縁１８０および第２の縁１９０は、ポケットの上方の連結１７０と共にポケット１５０を規定する。ポケット１５０の底部開口部１６０は、ポケット１５０に、例えば１つの（または複数の）テニスボールなどの適するアイテムを収容することを可能にする。
【００４４】
上述の図１および２に図示されていないが、レギンス１０またはショートパンツ１１０に、スカートまたはドレスを、取り付けるまたは一体化させることも本発明の一部である。この場合、ポケット５０、１５０は、着用者がスカート下に手を伸ばすことで、プレーヤーの動きを邪魔することなく、容易に到達され得るように、スカートの下に配置されてもよい。いくつかの実施形態では、ポケットへの到達が、前述のようにスカート下に手を伸ばすことにより、あるいは、代替方法として、または、加えて、ポケットへの容易なアクセスを可能にするスリットをスカートに設けることにより達成され得る、丈の長めのスカートも提供され得る。
【符号の説明】
【００４５】
１０  スポーツ衣料、レギンス
２０  ウエストバンド
３０  第１のカットライン
４０  第２のカットライン
５０  ポケット
６０  底部開口部、底部
７０  上縁、上方の連結
８０  第１の縁
９０  第２の縁
９５  カットラインの接点
１１０  スポーツ衣料、ショートパンツ
１２０  ウエストバンド
１３０  第１のカットライン
１４０  第２のカットライン
１５０  ポケット
１６０  底部開口部
１７０  上縁、上方の連結
１８０  第１の縁
１９０  第２の縁
【図１】
0006545118.tif 000002
【図２】
0006545118.tif 000003